(57)【特許請求の範囲】
【請求項１】
電気機器の取付構造であって、
電気機器が支持または収容される取付本体と、
前記取付本体の底面に設けられる案内部により前記底面に沿うスライド方向に移動可能であるスライド部と、
を備え、
前記スライド部が、
本体と、
取付ねじ挿入用の貫通孔と、
前記貫通孔が前記取付本体の側面よりも外側に位置する突出位置に前記スライド部が配置される場合に、前記底面に形成された溝である突出位置係止部と係合するスライド係合部と、
を備え、
前記スライド部において、前記スライド係合部が、前記本体よりも前記底面側に突出する凸状であり、
前記スライド部が前記突出位置に配置されて前記取付本体が取付面に直接取り付けられた状態において、前記底面に垂直な方向における前記スライド係合部の両側が前記突出位置係止部と前記取付面とに直接的に当接することを特徴とする電気機器の取付構造。
【請求項２】
請求項１に記載の電気機器の取付構造であって、
前記スライド係合部が、片持ち状態にて支持される部位の自由端近傍に形成されることを特徴とする電気機器の取付構造。
【請求項３】
請求項１または２に記載の電気機器の取付構造であって、
前記底面に設けられるもう１つの案内部により、前記底面に沿うとともに前記スライド部の前記スライド方向と相違するスライド方向に移動可能であるもう１つのスライド部をさらに備え、
前記スライド部のスライド方向が、直線方向であり、前記もう１つのスライド部のスライド方向が、前記底面に垂直な軸を中心とする回転方向であり、
前記もう１つのスライド部が、
本体と、
取付ねじ挿入用の貫通孔と、
前記貫通孔が前記取付本体の側面よりも外側に位置する突出位置に前記もう１つのスライド部が配置される場合に、前記底面に形成された溝である突出位置係止部と係合するスライド係合部と、
を備え、
前記もう１つのスライド部において、前記スライド係合部が、前記本体よりも前記底面側に突出する凸状であり、
前記もう１つのスライド部が前記突出位置に配置されて前記取付本体が前記取付面に直接取り付けられた状態において、前記底面に垂直な方向における前記スライド係合部の両側が前記突出位置係止部と前記取付面とに直接的に当接することを特徴とする電気機器の取付構造。
【請求項４】
請求項１ないし３のいずれかに記載の電気機器の取付構造であって、
前記スライド部が、
前記突出位置に前記スライド部が配置される場合に、前記底面に形成された溝であるもう１つの突出位置係止部と係合するもう１つのスライド係合部をさらに備え、
前記スライド部において、前記もう１つのスライド係合部が、前記本体よりも前記底面側に突出する凸状であり、
前記スライド部が前記突出位置に配置されて前記取付本体が前記取付面に直接取り付けられた状態において、前記底面に垂直な方向における前記もう１つのスライド係合部の両側が前記もう１つの突出位置係止部と前記取付面とに直接的に当接することを特徴とする電気機器の取付構造。
【発明の詳細な説明】
【技術分野】
【０００１】
本発明は、電気機器の取付構造に関する。
【背景技術】
【０００２】
従来より、プログラマブルコントローラ（ＰＬＣ）や、リレー、タイマー、あるいは、ブレーカー等の電気機器を支持レールや壁面等の取付面に取り付けることが行われている。例えば、特許文献１では、電子機器本体の基台の背面において、同じスライド方向にスライド自在な第１の留め具および第２の留め具が設けられ、支持レールへの取付の際に、第１の留め具の先端が支持レールに係合する位置にロックされる。第１および第２の留め具のそれぞれはねじ孔を有し、ねじ孔が基台から突出する位置にスライドされたとき、その位置でもロックされる。これにより、支持板等への取付も可能となる。
【先行技術文献】
【特許文献】
【０００３】
【特許文献１】特開２００３−２９８２５２号公報
【発明の概要】
【発明が解決しようとする課題】
【０００４】
ところで、特許文献１の取付構造において、スライド部である第１および第２の留め具では、片持ち支持するように突設された円弧状の弾性係止片が設けられ、取付本体である基台の背面に形成された係止孔に当該係止片が係止されてスライド部がロックされるが、このようなロック機構では、電気機器に対して大きな外力が作用すると、係止片が係止孔から外れてスライド部のロックが解除されてしまう虞がある。したがって、２つのスライド部に設けられるねじ孔を利用して電気機器を取付面に取り付けた場合に（すなわち、直接取付の場合に）、スライド部のロックが解除されると、電気機器が取付本体と共に取付面から外れる可能性がある。
【０００５】
本発明は上記課題に鑑みなされたものであり、直接取付の場合に、スライド部を取付本体に対して強固に固定することを目的としている。
【課題を解決するための手段】
【０００６】
請求項１に記載の発明は、電気機器の取付構造であって、電気機器が支持または収容される取付本体と、前記取付本体の底面に設けられる案内部により前記底面に沿うスライド方向に移動可能であるスライド部とを備え、前記スライド部が、本体と、取付ねじ挿入用の貫通孔と、前記貫通孔が前記取付本体の側面よりも外側に位置する突出位置に前記スライド部が配置される場合に、前記底面に形成された溝である突出位置係止部と係合するスライド係合部とを備え、前記スライド部において、前記スライド係合部が、前記本体よりも前記底面側に突出する凸状であり、前記スライド部が前記突出位置に配置されて前記取付本体が取付面に直接取り付けられた状態において、前記底面に垂直な方向における前記スライド係合部の両側が前記突出位置係止部と前記取付面とに直接的に当接する。
請求項２に記載の発明は、請求項１に記載の電気機器の取付構造であって、前記スライド係合部が、片持ち状態にて支持される部位の自由端近傍に形成される。
【０００７】
請求項３に記載の発明は、請求項１または２に記載の電気機器の取付構造であって、前記底面に設けられるもう１つの案内部により、前記底面に沿うとともに前記スライド部の前記スライド方向と相違するスライド方向に移動可能であるもう１つのスライド部をさらに備え、前記スライド部のスライド方向が、直線方向であり、前記もう１つのスライド部のスライド方向が、前記底面に垂直な軸を中心とする回転方向であり、前記もう１つのスライド部が、本体と、取付ねじ挿入用の貫通孔と、前記貫通孔が前記取付本体の側面よりも外側に位置する突出位置に前記もう１つのスライド部が配置される場合に、前記底面に形成された溝である突出位置係止部と係合するスライド係合部とを備え、前記もう１つのスライド部において、前記スライド係合部が、前記本体よりも前記底面側に突出する凸状であり、前記もう１つのスライド部が前記突出位置に配置されて前記取付本体が前記取付面に直接取り付けられた状態において、前記底面に垂直な方向における前記スライド係合部の両側が前記突出位置係止部と前記取付面とに直接的に当接する。
【０００９】
請求項４に記載の発明は、請求項１ないし３のいずれかに記載の電気機器の取付構造であって、前記スライド部が、前記突出位置に前記スライド部が配置される場合に、前記底面に形成された溝であるもう１つの突出位置係止部と係合するもう１つのスライド係合部をさらに備え、前記スライド部において、前記もう１つのスライド係合部が、前記本体よりも前記底面側に突出する凸状であり、前記スライド部が前記突出位置に配置されて前記取付本体が前記取付面に直接取り付けられた状態において、前記底面に垂直な方向における前記もう１つのスライド係合部の両側が前記もう１つの突出位置係止部と前記取付面とに直接的に当接する。
【発明の効果】
【００１０】
本発明によれば、取付面への直接取付の場合に、スライド部を取付本体に対して強固に固定することができる。
【００１１】
請求項３の発明では、直接取付の場合に、もう１つのスライド部を取付本体に対して強固に固定することができる。請求項４の発明では、スライド部を取付本体に対してより強固に固定することができる。
【図面の簡単な説明】
【００１２】
【図１】電気機器の取付構造を示す斜視図である。
【図２】取付構造の分解図である。
【図３】取付構造の斜視図である。
【図４】取付構造の底面図である。
【図５】取付構造の断面図である。
【図６】取付構造の底面図である。
【図７】取付構造の断面図である。
【図８】比較例の取付構造の底面図である。
【図９】比較例の取付構造の断面図である。
【図１０】取付構造の他の例の断面図である。
【発明を実施するための形態】
【００１３】
図１は本発明の一の実施の形態に係る電気機器９の取付構造１を示す斜視図である。電気機器９は、例えばプログラマブルコントローラ（ＰＬＣ）や、リレー、タイマー、あるいは、ブレーカー等である。取付構造１は、電気機器９が収容される箱状の取付本体２を備え、取付本体２の一の面２１（図１中の（−Ｙ）側の面）には、第１スライド部３および第２スライド部４が設けられる。取付本体２、第１スライド部３および第２スライド部４は、例えば樹脂にて形成される。取付構造１の後述の支持レールや取付面への取付では、当該面２１が直立するように取り付けられることが多いが（もちろん、他の姿勢にて取り付けられてもよい。）、取付前の取付構造１は、当該面２１を鉛直方向の下方に向けて取り扱われることが多いため、以下の説明では、取付本体２の面２１を「底面２１」と呼ぶ。図１では、底面２１におよそ沿うとともに互いに直交する２方向をＸ方向およびＺ方向として示し、底面２１におよそ垂直な方向をＹ方向として示している（以下同様）。図１の取付構造１では、底面２１は、Ｘ方向およびＺ方向に平行な辺を有する矩形の外形を有する。
【００１４】
図２は、取付構造１の分解図であり、取付本体２、第１スライド部３および第２スライド部４を分離して、図１の（−Ｙ）側から（＋Ｙ）方向を向いて見た様子を示している。取付本体２の底面２１には、図２の横方向（Ｘ方向）に伸びる溝２１１（以下、「レール溝２１１」という。）が形成される。後述するように、取付本体２が長尺の支持レール８１（例えば、ＤＩＮレールであり、図２中にて二点鎖線にて示す。）に取り付けられる際には、当該支持レール８１はレール溝２１１内に嵌め込まれる。図１に示すように、第１スライド部３および第２スライド部４は、レール溝２１１の（−Ｚ）側および（＋Ｚ）側にそれぞれ配置される。すなわち、レール溝２１１は、第１スライド部３と第２スライド部４との間に形成される。
【００１５】
図２に示すように、レール溝２１１の（＋Ｚ）側の縁には（−Ｚ）側に突出する２つのレール係合部２２が形成される。当該２つのレール係合部２２は、Ｘ方向におけるレール溝２１１の両端部に配置され、取付本体２の支持レール８１への取付の際には、レール係合部２２とレール溝２１１の底面（Ｙ方向に垂直な面）との間にて支持レール８１の長手方向に沿う一方の縁８１１が挟持される。すなわち、レール係合部２２は、支持レール８１の一方の縁８１１と係合する。
【００１６】
取付本体２の底面２１には、Ｘ方向におけるレール溝２１１の中央から（−Ｚ）方向に伸びる溝２１２（第１スライド部３の移動に用いる溝であり、以下、「スライド溝２１２」という。）が形成される。また、スライド溝２１２の（−Ｘ）側の縁には（＋Ｘ）側に突出する突起部２３１が形成され、スライド溝２１２の（＋Ｘ）側の縁には（−Ｘ）側に突出する突起部２３１が形成される。第１スライド部３における矩形の薄板状の本体３１では、Ｘ方向における両端部３１０が他の部位よりも薄くなっており、両端部３１０は、スライド溝２１２の底面（Ｙ方向に垂直な面）と両突起部２３１との間にて挟持される（図１参照）。このように、２つの突起部２３１を含む第１案内部２３により、取付本体２の底面２１に沿うとともにスライド溝２１２が伸びる方向（すなわち、Ｚ方向であり、以下、「第１スライド方向」という。）に第１スライド部３が移動可能に支持される。なお、第１案内部２３にて支持された状態の第１スライド部３の（−Ｙ）側の面は、底面２１における溝２１１，２１２および後述の凹部２１３を除く領域とほぼ同一平面上に位置する。
【００１７】
図２に示す第１スライド部３の両端部３１０近傍には、（＋Ｙ）側に僅かに突出した部位３１１が形成され、スライド溝２１２の底面には、部位３１１が摺動するための２つの補助溝２５１が形成される。２つの補助溝２５１の間には、第１スライド部３を取付本体２に取り付ける際に利用される他の２つの補助溝２５２が形成され、各補助溝２５２の（−Ｚ）側には２つの溝２５３，２５４がＺ方向に並んで形成される。
【００１８】
第１スライド部３の本体３１はおよそ中央に開口３２を有し、開口３２の外形は略矩形である。開口３２の（−Ｘ）側の縁には（＋Ｘ）側に突出する長尺部材３３が形成され、当該長尺部材３３の先端は開口３２の（＋Ｘ）側の縁の近傍に配置される。また、開口３２の（＋Ｘ）側の縁には（−Ｘ）側に突出する長尺部材３３が形成され、当該長尺部材３３の先端は開口３２の（−Ｘ）側の縁の近傍に配置される。このように、第１スライド部３の開口３２には、Ｘ方向におよそ沿って伸びるとともに、片持ち状態にて支持される板バネ状の２つの長尺部材３３がＺ方向に並んで形成される。各長尺部材３３の自由端近傍にはスライド係合部３４が形成され、スライド係合部３４は本体３１および長尺部材３３よりも（＋Ｙ）側に僅かに突出する。
【００１９】
第１スライド部３を取付本体２に取り付ける際には、図２中にて二点鎖線にて示すように第１案内部２３の（＋Ｚ）側に第１スライド部３が配置され、第１スライド部３を（−Ｚ）方向に移動することにより、両端部３１０がスライド溝２１２の底面と両突起部２３１との間に挿入される。このとき、各端部３１０の部位３１１は補助溝２５１内を摺動し、各スライド係合部３４は補助溝２５２内を摺動する。スライド係合部３４が補助溝２５２の（−Ｚ）側の端部まで到達すると、第１スライド部３が（−Ｚ）方向に押し込まれることにより、各スライド係合部３４が溝２５３内に配置されて両者が係合し、第１スライド部３の移動が係止される（すなわち、第１スライド部３の位置がロックされる。）。これにより、第１スライド部３が図１に示す位置（以下、「レール係合位置」という。）に配置される。レール係合位置では、第１スライド部３の大部分がＹ方向において底面２１と重なる。以下の説明では、図２に示す溝２５３を「係合位置係止部２５３」という。
【００２０】
また、第１スライド部３が（−Ｚ）方向にさらに押し込まれると、各スライド係合部３４が溝２５４内に配置されて両者が係合し、第１スライド部３の移動が係止される。これにより、第１スライド部３が図３に示す位置（以下、「第１突出位置」という。）に配置される。第１突出位置では、第１スライド部３の（−Ｚ）側の端部に形成された貫通孔３９（以下、「第１貫通孔３９」という。）が取付本体２の（−Ｚ）側の側面よりも外側に位置する。第１貫通孔３９は後述の取付ねじ挿入用の孔である。以下の説明では、図２に示す溝２５４を「突出位置係止部２５４」という。
【００２１】
取付本体２の底面２１においてレール溝２１１の（＋Ｚ）側には、凹部２１３が形成され、凹部２１３内には第２案内部２４が設けられる。詳細には、第２案内部２４は、凹部２１３の底面（Ｙ方向に垂直な面）に形成される略円環状の本体２４１を有する。Ｙ方向に平行な本体２４１の中心軸２４０は、底面２１におけるＺ方向に平行な中心線Ｃ１上に配置される。本体２４１の（−Ｙ）側の端部には、中心軸２４０に向かって突出する薄板状の２つの突起部２４２が形成され、２つの突起部２４２は中心軸２４０の（＋Ｚ）側および（−Ｚ）側に配置される。
【００２２】
第２スライド部４は、略円板状の本体４１、および、本体４１に連続する本体突出部４５を有し、本体４１の中央には中心孔４１１が形成される。本体４１の（＋Ｙ）側の面上において、中心孔４１１の周囲には円筒部４２が形成され、円筒部４２の（＋Ｙ）側の端部には（＋Ｘ）方向および（−Ｘ）方向に突出する薄板状の２つの突起部４３が形成される。Ｙ方向に沿って見た場合において、２つの突起部４３は円筒部４２の外縁に沿う円弧状である。また、第２案内部２４において、本体２４１の内縁、および、当該内縁に沿う円弧状の２つの突起部２４２の縁により形成される開口は、上記円筒部４２および２つの突起部４３の外形に倣った形状である。したがって、当該２つの突起部４３および円筒部４２は当該開口を介して第２案内部２４の本体２４１の内部に挿入可能である。図２では、２つの突起部４３および円筒部４２を第２案内部２４内に挿入した状態の第２スライド部４の一部を二点鎖線にて示している。
【００２３】
また、第２スライド部４は、図２の二点鎖線の位置から中心軸２４０を中心として反時計回りに回転可能であり、第２スライド部４を回転した状態では、第２スライド部４の突起部４３の一部が、第２案内部２４の突起部２４２の（＋Ｙ）側に配置される。このように、第２スライド部４は、中心軸２４０を中心とする回転方向（以下、「第２スライド方向」という。）に移動可能（回転可能）に第２案内部２４により支持される。なお、第２案内部２４にて支持された状態の第２スライド部４の（−Ｙ）側の面は、底面２１における溝２１１，２１２および凹部２１３を除く領域とほぼ同一平面上に位置する。
【００２４】
第２スライド部４の本体４１の（＋Ｙ）側の面において外縁近傍（後述する円弧状の部位４１２の先端近傍）には、（＋Ｙ）側に僅かに突出した部位（図２中にて細い破線にて示す部位）が形成され、当該部位および当該部位とＹ方向におよそ重なる本体４１の部位によりスライド係合部４４が構成される。すなわち、後述の円弧状の部位４１２の先端近傍がスライド係合部４４である。第２スライド部４は、２つのスライド係合部４４を有し、２つのスライド係合部４４は本体４１の中心（中心孔４１１）に対して互いに点対称となる位置に配置される。また、第２案内部２４の本体２４１において（−Ｙ）側の面上には、突起部４３および円筒部４２を第２案内部２４内に挿入した状態の第２スライド部４（図２中にて二点鎖線にて示す第２スライド部４）の２つのスライド係合部４４が配置される２つの溝２６１が形成される（図２では、１つの溝のみに符号２６１を付している。後述の溝２６２において同様。）。本体２４１の当該面上には、中心軸２４０を中心とする図２の反時計回りにおいて、各溝２６１に隣接して溝２６３、溝２６２および溝２６４が順に形成される。なお、溝２６２は、他の溝２６１，２６３，２６４よりも浅い。
【００２５】
第２スライド部４を取付本体２に取り付ける際には、既述のように第２スライド部４の突起部４３および円筒部４２が第２案内部２４内に挿入される。このとき、各スライド係合部４４（正確には、スライド係合部４４の（＋Ｙ）側の部位）が溝２６１内に配置される。そして、第２スライド部４を中心軸２４０を中心として図２の反時計回りに僅かな角度だけ回転させることにより、スライド係合部４４が溝２６３内に配置されて両者が係合し、第２スライド部４の移動が係止される（すなわち、第２スライド部４の位置がロックされる。）。これにより、第２スライド部４が図１に示す位置（以下、「後退位置」という。）に配置される。後退位置では、第２スライド部４の全体がＹ方向において底面２１と重なる。以下の説明では、図２に示す溝２６３を「後退位置係止部２６３」という。
【００２６】
第２スライド部４の本体４１では、中心孔４１１を中心とする周方向に沿う円弧状の２つの部位４１２が形成されており、各部位４１２は片持ち状態にて本体４１に支持される。スライド係合部４４は、板バネ状の当該部位４１２の先端（自由端）に形成され、スライド係合部４４が溝２６１から溝２６３へと移動する際には、当該部位４１２が撓むことにより、比較的小さい力にて第２スライド部４を移動（回動）することが可能である（後述する溝２６３から溝２６２を介する溝２６４への移動において同様）。
【００２７】
また、第２スライド部４を反時計回りにさらに回転させると、各スライド係合部４４が、比較的浅い溝２６２内を摺動し、溝２６２の端部まで到達する。第２スライド部４を反時計回りに僅かな角度だけさらに回転させると、スライド係合部４４が溝２６４内に配置されて両者が係合し、第２スライド部４の移動が係止される。これにより、第２スライド部４が図３に示す位置（以下、「第２突出位置」という。）に配置される。以下の説明では、図２に示す溝２６４を「突出位置係止部２６４」という。第２突出位置では、第２スライド部４の本体突出部４５に形成された貫通孔４９（以下、「第２貫通孔４９」という。）が取付本体２の（＋Ｚ）側の側面よりも外側に位置する。第２貫通孔４９は後述の取付ねじ挿入用の孔である。
【００２８】
図４は、取付構造１の底面図であり、第１スライド部３および第２スライド部４をそれぞれレール係合位置および後退位置に配置した状態を示している。図５は、図４中の矢印Ａ−Ａの位置における断面図であり、第１スライド部３および取付本体２の底面２１近傍のみを示している。なお、図５では、Ｙ方向の厚さを実際よりも大きくして各部材を図示している（後述の図７において同様）。
【００２９】
取付本体２が支持レール８１に取り付けられる際には、第１スライド部３がレール係合位置に配置される。そして、支持レール８１の長手方向に沿う一方の縁８１１をレール係合部２２とレール溝２１１の底面（Ｙ方向に垂直な面）との間に挟みつつ、支持レール８１の他方の縁８１２が第１スライド部３の（＋Ｚ）側の端部３５に押し当てられる。図５に示すように、第１スライド部３の当該端部３５において（−Ｙ）側の面には、（＋Ｚ）方向に向かうに従って本体３１のＹ方向の厚さが漸次減少する傾斜面３５１が形成される。また、既述のように、図４に示す係合位置係止部２５３内にて係止されたスライド係合部３４は、Ｘ方向に長い長尺部材３３の自由端近傍に設けられる。したがって、支持レール８１の縁８１２を傾斜面３５１に当てて（＋Ｙ）方向に押し込むに従って、長尺部材３３が弾性変形しつつ、第１スライド部３の本体３１が支持レール８１の長手方向に垂直な第１スライド方向（正確には、（−Ｚ）方向）に移動する。
【００３０】
そして、支持レール８１の縁８１２が第１スライド部３の端部３５の（＋Ｚ）側を通過し、レール溝２１１の底面へと到達すると、第１スライド部３が元の位置（長尺部材３３が変形していない位置であり、図４中に示す位置）へと戻り、支持レール８１の縁８１２が第１スライド部３の端部３５とレール溝２１１の底面との間にて挟持される。すなわち、レール係合位置において、第１スライド部３が支持レール８１の縁８１２と係合する。なお、取付本体２の支持レール８１への取付では、第２スライド部４は利用されないため、第２貫通孔４９が底面２１上に位置する後退位置に第２スライド部４が配置され、第２スライド部４の全体が底面２１と重なる。したがって、取付本体２の支持レール８１への取付の際に、第２スライド部４が取付作業や他の部材の配置の邪魔になることはない。
【００３１】
図６は、取付構造１の底面図であり、第１スライド部３および第２スライド部４をそれぞれ第１突出位置および第２突出位置に配置した状態を示している。図７は、図６中の矢印Ｂ−Ｂの位置における断面図であり、第１スライド部３および取付本体２の底面２１近傍のみを示している。
【００３２】
取付本体２が取付面に直接取り付けられる際には、第１スライド部３が第１突出位置へと引き出され、第２スライド部４が第２突出位置へと引き出される。これにより、第１スライド部３の第１貫通孔３９および第２スライド部４の第２貫通孔４９が取付本体２の側面よりも外側に位置する。そして、各貫通孔３９，４９に取付ねじを挿入して当該ねじを取付面に締結することにより、取付本体２が取付面に直接取り付けられる。このとき、図７に示すように、底面２１に垂直なＹ方向における各スライド係合部３４の両側が突出位置係止部２５４と取付面８０とに当接する、すなわち、スライド係合部３４が突出位置係止部２５４と取付面８０とに挟まれる。これにより、第１スライド部３が取付本体２に対して強固に固定される。同様に、図６の第２スライド部４において、Ｙ方向におけるスライド係合部４４の両側が突出位置係止部２６４と取付面８０とに当接することにより、第２スライド部４が取付本体２に対して強固に固定される。
【００３３】
また、図１および図２に示すように、第２案内部２４の本体２４１の（＋Ｚ）側の部位には板状の補助突起部２４３が形成され、第２スライド部４の本体突出部４５は、第２突出位置に配置された際に、補助突起部２４３が挿入されるように形成された係合溝４５１を有する。したがって、第２スライド部４が第２突出位置（図３に示す位置）に配置された状態において、仮に、本体突出部４５に対して取付本体２の底面２１に垂直な方向の力が作用した場合でも、係合溝４５１の内面と第２案内部２４の補助突起部２４３（図１参照）とが当接することにより、第２スライド部４の移動を支持する突起部４３および第２案内部２４の突起部２４２（図２参照）が破損することが防止される。
【００３４】
図８は、比較例の取付構造９０を示す底面図であり、図９は、図８中の矢印Ｃ−Ｃの位置における断面図である。比較例の取付構造９０では、第１スライド部９１および第２スライド部９２が共に同じスライド方向（図８中のＺ方向）に移動可能である。取付本体９３が支持レール８１に取り付けられる場合には、第１スライド部９１および第２スライド部９２が図８中に二点鎖線にて示す位置に配置され、支持レール８１の双方の縁８１２，８１１とそれぞれ係合する。また、取付本体９３が取付面に直接取り付けられる場合には、第１スライド部９１および第２スライド部９２が図８中に実線にて示す位置に配置され、貫通孔９１１，９２１を利用して取付本体９３が取付面８０に取り付けられる。この場合に、第１スライド部９１では、図９に示すように、片持ち状態にて支持される部材の先端に設けられる係合部９１２が、取付本体９３の底面に形成された係止孔９３２に係合して第１スライド部９１が取付本体９３に対して固定（ロック）される。また、第２スライド部９２も同様の機構にて取付本体９３に対して固定される。
【００３５】
しかしながら、図９のロック機構では、取付面８０と係合部９１２との間に比較的大きな隙間があるため、取付本体９３に対して大きな外力が作用した場合に、図９中に二点鎖線にて示すように、係合部９１２が係止孔９３２から外れて第１スライド部９１のロックが解除されてしまう虞がある（第２スライド部９２において同様）。第１スライド部９１および第２スライド部９２の双方においてロックが解除されると、取付本体９３がスライド方向（Ｚ方向）に大きく移動してしまう。
【００３６】
これに対し、取付構造１では、第１スライド部３が第１突出位置に配置されて取付本体２が取付面８０に直接取り付けられた状態において、取付本体２の底面２１に垂直な方向におけるスライド係合部３４の両側が突出位置係止部２５４と取付面８０とにそれぞれ当接する。これにより、取付面８０への直接取付の場合に、スライド係合部３４が突出位置係止部２５４から外れることを防止して、第１スライド部３を取付本体２に対して強固に固定することができる。また、第２スライド部４が第２突出位置に配置されて取付本体２が取付面８０に直接取り付けられた状態において、取付本体２の底面２１に垂直な方向におけるスライド係合部４４の両側が突出位置係止部２６４と取付面８０とにそれぞれ当接することにより、第２スライド部４を取付本体２に対して強固に固定することができる。
【００３７】
取付面８０への直接取付の場合に、それぞれが突出位置係止部２５４と取付面８０とに当接する複数のスライド係合部３４を第１スライド部３が有することにより、第１スライド部３を取付本体２に対してより強固に固定することができる。また、それぞれが突出位置係止部２６４と取付面８０とに当接する複数のスライド係合部４４を第２スライド部４が有することにより、第２スライド部４を取付本体２に対してより強固に固定することができる。
【００３８】
取付構造１では、第１スライド部３における第１スライド方向と、第２スライド部４における第２スライド方向とが相違する。これにより、２つのスライド部３，４の移動により、取付面８０への直接取付、および、支持レール８１への取付が選択可能な取付構造１において、直接取付の際に、仮に、第１スライド部３および第２スライド部４の双方においてロックが解除された場合でも、取付本体２がいずれかの方向に大きく移動することを防止することができる。換言すると、取付構造１では、取付面８０に直接取り付けられた取付本体２がいずれかの方向に大きく移動することが第１案内部２３および第２案内部２４により防止されるため、スライド係合部３４，４４と突出位置係止部２５４，２６４との係合が解除されることをより確実に防止することができる。
【００３９】
また、第２スライド部４における第２スライド方向が、取付本体２の底面２１に垂直な中心軸２４０を中心とする回転方向であることにより、第２スライド部４が第２突出位置に配置された状態において、取付本体２の側面から突出した第２スライド部４の部位近傍に、当該部位へのＹ方向の力に抵抗する部材（上記の例では、第２スライド部４の係合溝４５１および第２案内部２４の補助突起部２４３）を設けることが容易に可能となる。
【００４０】
取付構造１では、様々な変形が可能である。
【００４１】
第１スライド方向および第２スライド方向は、取付本体２の底面２１に沿う様々な方向であってよく、例えば、第１スライド部３における第１スライド方向が底面２１に垂直な軸を中心とする回転方向とされてもよい。この場合、第１スライド部３において、レール係合位置に配置された状態にてレール溝２１１側に突出する部位が設けられ、取付本体２の支持レール８１への取付の際に、支持レール８１の縁８１２に当該部位が係合する。また、取付本体２の底面２１に設けられる第１案内部２３および第２案内部２４は、上記以外の様々な構造を採用することが可能である。
【００４２】
上記実施の形態では、取付本体２の底面２１に凹状の係合位置係止部２５３、突出位置係止部２５４，２６４、後退位置係止部２６３が形成され、凸状の部位を有するスライド係合部３４，４４がこれらの係止部と係合するが、取付本体２の底面２１に凸状の係合位置係止部２５３、突出位置係止部２５４，２６４、後退位置係止部２６３が形成され、凹状の部位を有するスライド係合部３４，４４がこれらの係止部と係合してもよい。また、比較例の係合部９１２において、図１０に示すように（−Ｙ）側に突出する部位９９が付加され、Ｙ方向における係合部９１２（スライド係合部）の一端が係止孔９３２に（直接的に）当接した状態で、係合部９１２の他端である当該部位９９が取付面８０に当接することにより、スライド部が取付本体に対して強固に固定されてもよい。この場合に、係止孔９３２に当接する部位と、取付面８０に当接する部位とが、取付本体の底面に沿う方向に僅かにずれた位置に配置されてもよい。また、部位９９が、係合部９１２や取付面８０とは別部材として設けられてもよく、この場合、独立した部材を介して、係合部９１２が取付面８０に対して間接的に当接する。以上のように、取付面８０への直接取付の場合に、第１スライド部および第２スライド部を取付本体に対して強固に固定するには、スライド係合部の両側が、突出位置係止部と取付面とに直接的または間接的に当接することが重要である。
【００４３】
例えば、図２の（−Ｘ）側の係合位置係止部２５３および（＋Ｘ）側の突出位置係止部２５４が省略され、第１スライド部３がレール係合位置に配置される際に一方のスライド係合部３４のみが係合位置係止部２５３と係合し、第１スライド部３が第１突出位置に配置される際に他方のスライド係合部３４のみが突出位置係止部２５４と係合してもよい。すなわち、第１スライド部３をレール係合位置および第１突出位置にてロックするスライド係合部３４は、異なる部材であってもよい。
【００４４】
図１の取付構造１では、第２スライド部４は取付本体２の支持レール８１への取付に寄与しないため、取付本体２の支持レール８１への取付の際における第２スライド部４の位置は任意に決定されてよい。また、第２スライド部４において、後退位置に配置された状態にてレール溝２１１側に突出する部位を設け、取付本体２の支持レール８１への取付の際に、支持レール８１の一方の縁８１１に当該部位が係合してもよい。この場合、取付本体２の底面２１に設けられる図１のレール係合部２２は省略可能である。換言すると、取付本体２が支持レール８１に取り付けられる際に支持レール８１の一方の縁８１１と係合するレール係合部は、後退位置に配置される第２スライド部４により実現されてもよい。
【００４５】
取付構造１において第２スライド部４が省略され、例えば取付本体２の（＋Ｚ）側の側面に、貫通孔を有する部位が予め形成されてもよい。ただし、取付構造１の支持レール８１への取付の際における取付構造１の占有面積を小さくするという観点では、全体が取付本体２の底面２１と重なることが可能な第２スライド部４が設けられることが好ましい。
【００４６】
取付構造１における取付本体２は、電気機器９を内部に収容するもの以外に、例えば、電気機器９の一の面が固定されて電気機器９を支持する部材であってもよい。
【００４７】
上記実施の形態および各変形例における構成は、相互に矛盾しない限り適宜組み合わされてよい。
【符号の説明】
【００４８】
１    取付構造
２    取付本体
３    第１スライド部
４    第２スライド部
９    電気機器
２１    底面
２３    第１案内部
２４    第２案内部
３４，４４    スライド係合部
３９    第１貫通孔
４９    第２貫通孔
８０    取付面
２５４，２６４    突出位置係止部
【図１】
0005730811.tif 000002
【図２】
0005730811.tif 000003
【図３】
0005730811.tif 000004
【図４】
0005730811.tif 000005
【図５】
0005730811.tif 000006
【図６】
0005730811.tif 000007
【図７】
0005730811.tif 000008
【図８】
0005730811.tif 000009
【図９】
0005730811.tif 000010
【図１０】
0005730811.tif 000011